(57)【特許請求の範囲】
【請求項１】
第１の配線基板に固定される第１のハウジング，各々が上記第１の配線基板に設けられた配線端子部に接続される基板接続部を有して上記第１のハウジングに配列配置された複数の第１のコンタクト、及び、上記第１のハウジングに固定された第１の金属部材を備えた第１のコネクタと、
第２の配線基板に固定され、上記第１のハウジングとの係合状態をとる第２のハウジング，各々が上記第２の配線基板に設けられた配線端子部に接続される基板接続部を有して上記第２のハウジングに配列配置され、上記複数の第１のコンタクトに夫々接触接続される状態をとる複数の第２のコンタクト，上記第２のハウジングに取り付けられた第２の金属部材、及び、上記第２のハウジングに対して移動可能に設けられて押込み位置と引揚げ位置とを選択的にとる可動操作部材を備えた第２のコネクタと、
を含んで構成され、
上記第１の金属部材に第１の係合係止部が設けられるとともに、上記第２の金属部材に第２の係合係止部が設けられ、上記第２のハウジングが上記第１のハウジングとの係合状態をとるとき、上記複数の第２のコンタクトが上記複数の第１のコンタクトに夫々接触接続されて、上記第２の配線基板が上記第１の配線基板に電気的に連結されるとともに、上記第１の係合係止部及び上記第２の係合係止部が相互係合係止状態をとって上記第２のハウジングを上記第１のハウジングに対して係止し、
上記第２の金属部材に第１の係合部が設けられるとともに、上記可動操作部材に第２の係合部が設けられ、上記第１の係合係止部と上記第２の係合係止部とが相互係合係止状態をとるもとで、上記可動操作部材が上記押込み位置をとるとき、上記第１の係合部と上記第２の係合部とが相互係合状態をとって上記可動操作部材の位置を規制し、位置が規制された上記可動操作部材によって上記第１の係合係止部と上記第２の係合係止部とのうちの一方の他方に対する移動が禁止されて、上記第１の係合係止部と上記第２の係合係止部との相互係合係止状態の解除が阻止されることを特徴とする配線基板連結装置。
【請求項２】
上記第２の金属部材が、上記第２の係合係止部と上記第１の係合部とが形成された弾性腕状部を有し、該弾性腕状部が上記第１のハウジングに対して移動可能とされることを特徴とする請求項１記載の配線基板連結装置。
【請求項３】
上記第１の金属部材が上記第１の配線基板に連結されて上記第１のハウジングが上記第１の配線基板に固定され、また、上記第２の金属部材が上記第２の配線基板に連結されて上記第２のハウジングが上記第２の配線基板に固定されることを特徴とする請求項１記載の配線基板連結装置。
【請求項４】
上記可動操作部材が、上記複数の第２のコンタクトの配列方向に伸びる棒状部材とされ、該棒状部材の端部に上記第２の係合部が形成されることを特徴とする請求項１記載の配線基板連結装置。
【請求項５】
上記棒状部材が、上記複数の第２のコンタクトの配列方向に沿う中間部分と該中間部分の両端部に夫々設けられて、上記第２のハウジング内に配される一対の屈曲部分とを有し、該一対の屈曲部分の夫々に上記第２の係合部が形成されることを特徴とする請求項４記載の配線基板連結装置。
【請求項６】
上記棒状部材が、上記押込み位置をとるとき、上記中間部分を上記第２の配線基板における上記第２のハウジングが固定された面に対向する面に近接もしくは当接させるとともに、上記一対の屈曲部分の夫々を上記第２の配線基板に設けられた透孔を通じて上記第２のハウジング内に位置させることを特徴とする請求項５記載の配線基板連結装置。
【請求項７】
上記第１のコネクタが、上記第１のハウジングの上記第１のコンタクトの配列方向における両端部の夫々に上記第１の係合係止部が配されたものとされるとともに、上記第２のコネクタが、上記第２のハウジングの上記第２のコンタクトの配列方向における両端部の夫々に上記第２の係合係止部が配されたものとされることを特徴とする請求項１記載の配線基板連結装置。
【発明の詳細な説明】
【技術分野】
【０００１】
本願の特許請求の範囲に記載された発明は、二つの配線基板が相互に対面近接して重ね合わせられるもとで、各配線基板に設けられた配線端子部に電気的に相互接続された状態をとらせて、両配線基板を連結する配線基板連結装置に関する。
【背景技術】
【０００２】
携帯電話機等の比較的小型な電子機器においても、種々の電子部品が多数内蔵されるが、それらの電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって相互連結されざるを得ないものとされる。このような二つの配線基板のうちの一方が他方に対面近接して重ね合わせられる連結態様を、以下においては対面近接重ね合わせ連結ということとする。
【０００３】
一般的に、複数の配線基板の相互連結は、各配線基板にコネクタが取り付けられ、それらのコネクタが相互接続されることにより行われることが多く、二つの配線基板についての対面近接重ね合わせ連結をする場合においても、各配線基板に取り付けられるコネクタを用いることが考えられる。従来にあっては、二つの配線基板についての対面近接重ね合わせ連結をするためのコネクタを含んだ基板連結装置が幾つか提案されている（例えば、特許文献１，特許文献２及び特許文献３参照。）。
【０００４】
特許文献１に示される基板連結装置は、第１の配線基板（基板(110))及び第２の配線基板（基板(210))が対面近接重ね合わせ連結の対象とされるもとで、第１の配線基板に取り付けられる第１のコネクタ（コネクタピース(100))と第２の配線基板に取り付けられる第２のコネクタ（コネクタピース(200))とを含んで構成されている。第１のコネクタは、ハウジング(130) に配列配置された複数の第１のコンタクト（コンタクト(120))を備えており、また、第２のコネクタは、ハウジング(230) に配列配置された複数の第２のコンタクト（コンタクト(220))を備えている。そして、複数の第１のコネクタの夫々の先端部は、弾性変形を生じる略Ｕ字状に折り曲げられた部分を形成している。
【０００５】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトの夫々における略Ｕ字状に折り曲げられた部分を形成する先端部が、第２のコネクタが備える複数の第２のコンタクトのうちの対応するものに接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００６】
斯かる際、複数の第１のコンタクトの夫々の先端部が弾性変形を生じる略Ｕ字状に折り曲げられた部分を形成していて、斯かる先端部が、複数の第２のコンタクトのうちの対応するものに、弾性変形による接触圧を作用させるもとで接触接続されるので、複数の第１のコンタクトと複数の第２のコンタクトとの相互接続が確実に行われることが期待される。
【０００７】
また、特許文献２に示される基板連結装置は、第１の配線基板（プリント配線基板(26)) 及び第２の配線基板（プリント配線基板(22)) が対面近接重ね合わせ連結の対象とされるもとで、第１の配線基板に取り付けられる第１のコネクタ（雄型のコネクタ部(24)) と第２の配線基板に取り付けられる第２のコネクタ（雌型のコネクタ部(20)) とを含んで構成されている。第１のコネクタは、第１のハウジング（基台部(24M))に配列配置された複数の第１のコンタクト（コンタクト端子(28Ai),(28Bi))を備えており、また、第２のコネクタは、第２のハウジング（基台部(20M))に配列配置された複数の第２のコンタクト（コンタクト端子(34Ai),(34Bi))を備えている。そして、第１のコネクタにおいては、第１のハウジングに圧入された保持具(30)の嵌合部(30m) に爪部(30N) が形成されており、また、第２のコネクタにおいては、第２のハウジングに圧入された保持具(32)の弾性片(32mr)に突起部(32mn)が形成されている。
【０００８】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００９】
斯かる際、第１のコネクタにおける第１のハウジングに圧入された保持具(30)の嵌合部(30m) に形成された爪部(30N) が、第２のコネクタにおける第１のハウジングに圧入された保持具(32)の弾性片(32mr)に形成された突起部(32mn)に係合して、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。
【００１０】
さらに、特許文献３に示される基板連結装置は、第１の配線基板（プラグ用基板(53)) 及び第２の配線基板（ソケット用基板(33)) が対面近接重ね合わせ連結の対象とされるもとで、第１の配線基板に取り付けられる第１のコネクタ（プラグ(40)) と第２の配線基板に取り付けられる第２のコネクタ（ソケット(10)) とを含んで構成されている。第１のコネクタは、第１のハウジング（絶縁ハウジング(41)) に配列配置された複数の第１のコンタクト（第１端子(42)及び第２端子(43)) を備えており、また、第２のコネクタは、第２のハウジング（絶縁ハウジング(11)) に配列配置された複数の第２のコンタクト（第１接点(12)及び第２接点(13)) を備えている。そして、第１のコネクタにおいては、第１のハウジングに拘止突部(52)が形成されており、また、第２のコネクタにおいては、第２のハウジングに係合窓(29)が形成されたロックバネ(27)が取り付けられている。それに加えて、第１のコネクタが取り付けられた第１の配線基板における、それに取り付けられた第１のコネクタにおける第１のハウジングに形成された拘止突部(52)の先端部に対応する位置に、ロック解除窓(56)が透孔をなすものとして形成されている。
【００１１】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【００１２】
斯かる際、第２のコネクタにおける第２のハウジングに取り付けられたロックバネ(27)に形成された係合窓(29)が、第１のコネクタにおける第１のハウジングに形成された拘止突部(52)に係合して、第１のハウジングに対するロック状態をとり、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。このとき、それに形成された係合窓(29)に第１のハウジングに形成された拘止突部(52)が係合するものとされたロックバネ(27)は、その先端部分が第１の配線基板に設けられたロック解除窓(56)を通じて第１の配線基板外に臨むものとされる。
【００１３】
その後、第１の配線基板と第２の配線基板とを対面近接重ね合わせ連結状態から解放するにあたっては、第１の配線基板に設けられたロック解除窓(56)を通じて第１の配線基板外に臨むものとされたロックバネ(27)の先端部分が、それに対するロック解除窓(56)における第１の配線基板外からの操作により、ロックバネ(27)に形成された係合窓(29)が第１のハウジングに形成された拘止突部(52)との係合を解除するように変位せしめられ、それにより、ロックバネ(27)に形成された係合窓(29)による第１のハウジングに対するロック状態が解除される。従って、第１のコネクタ及び第２のコネクタの外部からそれらの相互係合状態を解除して、第１の配線基板と第２の配線基板とを対面近接重ね合わせ連結状態から解放することができる状態をとることができる。
【先行技術文献】
【特許文献】
【００１４】
【特許文献１】特開２０００−２６０５０９号公報（段落００３３〜００４３，図４, ５）
【特許文献２】特開２００４−５５３０６号公報（段落００２０〜００３１，図１〜８）
【特許文献３】特開２００６−２４４９５５号公報（段落００２３〜００３４，図１〜５，８，１０，１１，１４，１５）
【発明の概要】
【発明が解決しようとする課題】
【００１５】
上述のような、従来提案されている、幾つかの、二つの配線基板についての対面近接重ね合わせ連結をするためのコネクタを含んだ基板連結装置にあっては、それらの夫々に次のような不都合が見られる。
【００１６】
先ず、特許文献１に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段が備えられていない。従って、例えば、相互係合した第１のコネクタと第２のコネクタとのうちのいずれか一方もしくは双方に不所望な外力が作用した場合に、第１のコネクタが備える複数の第１のコンタクトと第２のコネクタが備える複数の第２のコンタクトとの相互接続状態が不安定なものとなり、その結果、第１の配線基板と第２の配線基板とについての対面近接重ね合わせ連結が安定に行われなくなってしまう虞がある。
【００１７】
また、特許文献２に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに圧入された保持具(30)の嵌合部(30m) に形成された爪部(30N) と、第２のコネクタにおける第１のハウジングに圧入された保持具(32)の弾性片(32mr)に形成され、それに爪部(30N) が係合する突起部(32mn)とが備えられている。しかしながら、爪部(30N) が形成された保持具(30)の嵌合部(30m) 及び突起部(32mn)が形成された保持具(32)の弾性片(32mr)の夫々の構造上、爪部(30N) の突起部(32mn)との係合は然程堅固なものとはされ得ず、それゆえ、例えば、相互係合した第１のコネクタと第２のコネクタとのうちのいずれか一方もしくは双方に比較的大なる外力が不所望に作用した場合には、爪部(30N) が突起部(32mn)との係合から外れてしまい、第１のコネクタが備える複数の第１のコンタクトと第２のコネクタが備える複数の第２のコンタクトとの相互接続状態が不安定なものとなり、その結果、第１の配線基板と第２の配線基板とについての対面近接重ね合わせ連結が安定に行われなくなる虞がある。
【００１８】
さらに、特許文献３に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに形成された拘止突部(52)と、第２のコネクタにおける第２のハウジングに取り付けられたロックバネ(27)に形成され、拘止突部(52)に係合して第１のハウジングに対するロック状態をとる係合窓(29)とが備えられている。しかしながら、第１のハウジングに形成された拘止突部(52)及び係合窓(29)が形成されて第２のハウジングに取り付けられたロックバネ(27)の夫々の構造上、係合窓(29)の拘止突部(52)との係合は然程堅固なものとはされ得ず、それゆえ、例えば、相互係合した第１のコネクタと第２のコネクタとのうちのいずれか一方もしくは双方に比較的大なる外力が不所望に作用した場合には、係合窓(29)が拘止突部(52)との係合から外れてしまい、第１のコネクタが備える複数の第１のコンタクトと第２のコネクタが備える複数の第２のコンタクトとの相互接続状態が不安定なものとなり、その結果、第１の配線基板と第２の配線基板とについての対面近接重ね合わせ連結が安定に行われなくなる虞がある。
【００１９】
それに加えて、特許文献３に示される基板連結装置には、第１の配線基板と第２の配線基板とを対面近接重ね合わせ連結状態から解放すべく、第１の配線基板に設けられたロック解除窓(56)を通じて第１の配線基板外に臨むものとされたロックバネ(27)の先端部分を、ロック解除窓(56)において第１の配線基板外から変位させる操作を行うにあたっては、斯かる操作のための特別な工具等が必要とされるという問題がある。
【００２０】
斯かる点に鑑み、本願の特許請求の範囲に記載された発明は、第１の配線基板と第２の配線基板とを対面近接重ね合わせ連結によって電気的に相互連結するための機構を成すものであって、第１の配線基板に固定される第１のハウジングを有した第１のコネクタと第２の配線基板に固定される第２のハウジングを有した第２のコネクタとを含んで構成され、第１のコネクタと第２のコネクタとが相互係合した状態のもとで、第２のコネクタにおける第２のハウジングの第１のコネクタにおける第１のハウジングからの不所望な離脱を阻止する係止手段を備え、斯かる手段により第１のコネクタと第２のコネクタとの相互係合状態を極めて安定かつ堅固に維持することができ、また、第１のコネクタと第２のコネクタとを相互係合状態から解放するにあたっては、特別な工具等の使用を必要としない極めて簡単で容易な操作により、第２のコネクタにおける第２のハウジングを第１のコネクタにおける第１のハウジングから無理なく離脱させることができる配線基板連結装置を提供する。
【課題を解決するための手段】
【００２１】
本願の特許請求の範囲における請求項１から請求項７までのいずれかに記載された発明（以下、本願発明という。）に係る配線基板連結装置は、第１の配線基板に固定される第１のハウジング，各々が第１の配線基板に設けられた配線端子部に接続される基板接続部を有して第１のハウジングに配列配置された複数の第１のコンタクト、及び、第１のハウジングに固定された第１の金属部材を備えた第１のコネクタと、第２の配線基板に固定され、第１のハウジングとの係合状態をとる第２のハウジング，各々が第２の配線基板に設けられた配線端子部に接続される基板接続部を有して第２のハウジングに配列配置され、複数の第１のコンタクトに夫々接触接続される状態をとる複数の第２のコンタクト，第２のハウジングに取り付けられた第２の金属部材、及び、第２のハウジングに対して移動可能に設けられて押込み位置と引揚げ位置とを選択的にとる可動操作部材を備えた第２のコネクタとを含んで構成される。そして、第１の金属部材に第１の係合係止部が設けられるとともに、第２の金属部材に第２の係合係止部が設けられ、第２のハウジングが第１のハウジングとの係合状態をとるとき、複数の第２のコンタクトが複数の第１のコンタクトに夫々接触接続されて、第２の配線基板が第１の配線基板に電気的に連結されるとともに、第１の係合係止部と第２の係合係止部とが相互係合係止状態をとって第２のハウジングを第１のハウジングに対して係止し、また、第２の金属部材に第１の係合部が設けられるとともに、可動操作部材に第２の係合部が設けられ、第１の係合係止部と第２の係合係止部とが相互係合係止状態をとるもとで、可動操作部材が押込み位置をとるとき、第１の係合部と第２の係合部とが相互係合状態をとって可動操作部材の位置を規制し、位置が規制された可動操作部材によって第１の係合係止部と第２の係合係止部とのうちの一方の他方に対する移動が禁止されて、第１の係合係止部と第２の係合係止部との相互係合係止状態の解除が阻止される。
【００２２】
上述のような本願発明に係る配線基板連結装置にあっては、第１の配線基板における第１のコネクタが有する第１のハウジングが固定された面が、第２の配線基板における第２のコネクタが有する第２のハウジングが固定された面に対向するものとされて、第１の配線基板が第２の配線基板に対面近接して重ね合わせられたとき、第２のハウジングが第１のハウジングとの係合状態をとる。このとき、第２のハウジングに配列配置された複数の第２のコンタクトが、第１のハウジングに配列配置された複数の第１のコンタクトに夫々接触接続される。それにより、第１のコネクタと第２のコネクタとが相互係合状態におかれて、第２の配線基板に設けられた複数の配線端子部が、複数の第２のコンタクト及び複数の第１のコンタクトを介して、第１の配線基板に設けられた複数の配線端子部に夫々接続され、その結果、第１の配線基板と第２の配線基板とが対面近接重ね合わせ連結によって電気的に相互連結される。
【００２３】
また、その際、第１のハウジングに固定された第１の金属部材に設けられた第１の係合係止部と第２のハウジングに取り付けられた第２の金属部材に設けられた第２の係合係止部とが相互係合状態をとり、それにより、第２のハウジングを第１のハウジングに対して係止する。そして、斯かるもとで、第２のハウジングに対して移動可能に設けられた可動操作部材が、例えば、第２の配線基板から第１の配線基板に向かう方向に押し込まれて押込み位置をとるものとされると、第２の金属部材に設けられた第１の係合部と可動操作部に設けられた第２の係合部とが相互係合状態をとって可動操作部材の位置を規制し、それにより、位置が規制された可動操作部材によって第１の係合係止部と第２の係合係止部とのうちの一方の他方に対する移動が禁止されて、第１の係合係止部と第２の係合係止部との相互係合係止状態の解除が阻止される。即ち、第１の係合係止部と第２の係合係止部とは、第２のコネクタにおける第２のハウジングの第１のコネクタにおける第１のハウジングからの不所望な離脱を阻止する係止手段を構成しており、また、第１の係合部と第２の係合部とは、係止手段を構成する第１の係合係止部と第２の係合係止部との相互係合係止状態の解除を阻止する解除阻止手段を構成しているのである。
【００２４】
解除阻止手段を構成する第１の係合部と第２の係合部との相互係合によって位置規制された押し込み位置をとる可動操作部材が、例えば、第１の配線基板から第２の配線基板に向かう方向に引き揚げられて、引揚げ位置へと移行せしめられると、第１の係合部と第２の係合部との相互係合状態が解除され、それに伴って、第１の係合係止部と第２の係合係止部とが相互係合係止を解除し得る状態におかれる。それにより、第２のコネクタにおける第２のハウジングが、第１の係合係止部と第２の係合係止部とに相互係合係止を解除させて、第１のコネクタにおける第１のハウジングから離脱され得るものとされる。
【００２５】
第１の金属部材に設けられた第１の係合係止部と第２の金属部材に設けられた第２の係合係止部とにより構成される係止手段にあっては、例えば、第２の係合係止部が第１の係合係止部に対して移動可能とされる。そして、第１の係合係止部と第２の係合係止部とが相互係合状態をとるもとで可動操作部材が押込み位置をとるときには、解除阻止手段を構成する第１の係合部と第２の係合部とが相互係合状態をとって可動操作部材の位置を規制し、位置が規制された可動操作部材によって第２の係合係止部の第１の係合係止部に対する移動が禁止され、その結果、第１の係合係止部と第２の係合係止部との相互係合係止状態の解除が阻止される。
【００２６】
第１の係合部と第２の係合部との相互係合により位置規制されて押し込み位置をとる可動操作部材によって第１の係合係止部と第２の係合係止部との相互係合係止状態の解除が阻止されたもとにあっては、第２のハウジングが第１のハウジングとの係合状態を堅固に維持し、それに伴って、複数の第２のコンタクトが複数の第１のコンタクトとの接触接続状態を安定に維持して、第１のコネクタと第２のコネクタとが極めて安定かつ堅固な相互係合状態におかれる。また、第１の係合部と第２の係合部との相互係合により位置規制された押し込み位置をとる可動操作部材が引揚げ位置へと移行せしめられ、第１の係合部と第２の係合部との相互係合状態が解除されたときには、第２の係合係止部が第１の係合係止部に対して移動し得るものとされて、第１の係合係止部と第２の係合係止部とが相互係合係止を解除し得る状態におかれる。それにより、第２のハウジングが第１のハウジングとの係合状態を解除し得るものとされて、第１のコネクタと第２のコネクタとが相互係合状態から解放され得るものとなる。
【００２７】
可動操作部材に押込み位置をとらせるための操作及び可動操作部材に引揚げ位置をとらせるための操作は、例えば、可動操作部材を第１の配線基板に向けて第２のハウジング内に押し込むだけの操作及び可動操作部材を第２の配線基板外に引き揚げるだけの操作であって、特別な工具等を用いることなく可動操作部材に直接に加えられる極めて簡単で容易なものとされる。斯かる操作のため、可動操作部材は、例えば、その一部を第２の配線基板における第２のハウジングが固定された面に対向する面の外部に位置させるとともに、他の部分を第２の配線基板に設けられた透孔を通じて第２のハウジング内に位置させるものとされる。
【発明の効果】
【００２８】
本願発明に係る配線基板連結装置にあっては、第１のコネクタと第２のコネクタとが相互係合した状態におかれ、第２のハウジングが第１のハウジングとの係合状態をとり、第２のハウジングに配列配置された複数の第２のコンタクトが第１のハウジングに配列配置された複数の第１のコンタクトに夫々接触接続されたとき、第１のハウジングに固定された第１の金属部材に設けられた第１の係合係止部と第２のハウジングに取り付けられた第２の金属部材に設けられた第２の係合係止部とが相互係合状態をとって、第２のハウジングを第１のハウジングに係止する。そして、このようなもとで、可動操作部材が押込み位置をとるものとされると、それにより第２の金属部材に設けられた第１の係合部と可動操作部材に設けられた第２の係合部とが、相互係合状態をとって可動操作部材についての位置規制を行い、位置が規制された可動操作部材によって第１の係合係止部と第２の係合係止部とのうちの一方の他方に対する移動が禁止されて、第１の係合係止部と第２の係合係止部との相互係合係止状態の解除が阻止され、第２のハウジングの第１のハウジングからの不所望な離脱が阻止される。
【００２９】
従って、本願発明に係る配線基板連結装置によれば、第１のハウジングに固定された第１の金属部材に設けられた第１の係合係止部と第２のハウジングに取り付けられた第２の金属部材に設けられた第２の係合係止部とが、相互係合係止状態をとって第２のコネクタにおける第２のハウジングの第１のコネクタにおける第１のハウジングからの不所望な離脱を阻止する係止手段を構成するもとにおいて、第２の金属部材に設けられた第１の係合部と可動操作部に設けられた第２の係合部との相互係合により位置規制された押し込み位置をとる可動操作部材が、第１の係合係止部と第２の係合係止部との相互係合状態の解除を阻止するので、第２のハウジングが第１のハウジングとの係合状態をとり、それに伴って、第２のハウジングに配列配置された複数の第２のコンタクトが第１のハウジングに配列配置された複数の第１のコンタクトとの接触接続状態をとる、第１のコネクタと第２のコネクタとの相互係合状態を、極めて安定かつ堅固に維持することができる。
【００３０】
第１のコネクタと第２のコネクタとが相互係合した状態におかれ、第２のハウジングが第１のハウジングとの係合状態をとったもとで、可動操作部材に押込み位置をとらせる操作は、例えば、その一部を第２の配線基板における第２のハウジングが固定された面に対向する面の外部に位置させるとともに、他の部分を第２の配線基板に設けられた透孔を通じて第２のハウジング内に位置させて、引揚げ位置をとる可動操作部材を、第２の配線基板から第１のハウジングが固定された第１の配線基板に向かって第２のハウジング内に押し込むだけの、極めて簡単で容易なものとされる。従って、特別な工具等の使用を必要としない極めて簡単で容易な操作により、第１のハウジングに固定された第１の金属部材に設けられた第１の係合係止部と第２のハウジングに取り付けられた第２の金属部材に設けられた第２の係合係止部とを相互係合状態の解除が禁止される状態におくことができることになる。
【００３１】
さらに、本願発明に係る配線基板連結装置にあっては、第１のハウジングに固定された第１の金属部材に設けられた第１の係合係止部と第２のハウジングに取り付けられた第２の金属部材に設けられた第２の係合係止部とが相互係合状態をとるもとで、押込み位置をとっていた可動操作部材が引揚げ位置をとるものとされると、第２の金属部材に設けられた第１の係合部と可動操作部材に設けられた第２の係合部との相互係合状態が解除されるとともに、第１の係合係止部と第２の係合係止部とが相互係合係止を解除し得る状態におかれ、それにより、第１のコネクタと第２のコネクタとを相互係合状態から解放することができる状態が得られる。
【００３２】
斯かるもとで、第１のコネクタと第２のコネクタとが相互係合した状態におかれ、第２のハウジングが第１のハウジングとの係合状態をとったもとで、押込み位置をとっていた可動操作部材に引揚げ位置をとらせる操作は、例えば、その一部を第２の配線基板における第２のハウジングが固定された面に対向する面に近接もしくは当接させるとともに、他の部分を第２の配線基板に設けられた透孔を通じて第２のハウジング内に位置させて、押込み位置をとる可動操作部材を、第１の配線基板から第２の配線基板に向かう方向をもって第２の配線基板の外部へと引き揚げるだけの、極めて簡単で容易なものとされる。従って、特別な工具等の使用を必要としない極めて簡単で容易な操作により、第１のハウジングに固定された第１の金属部材に設けられた第１の係合係止部と第２のハウジングに取り付けられた第２の金属部材に設けられた第２の係合係止部との相互係合状態を解除して、第１のコネクタと第２のコネクタとを相互係合状態から解放することができる状態におくことができることになる。
【００３３】
また、本願発明に係る配線基板連結装置にあっては、第１のコネクタと第２のコネクタとが相互係合した状態におかれて第２のハウジングが第１のハウジングとの係合状態をとったとき、可動操作部材が、その一部を第２の配線基板における第２のハウジングが固定された面に対向する面に近接もしくは当接させるとともに、他の部分を第２の配線基板に設けられた透孔を通じて第２のハウジング内に位置させる押込み位置をとり、第２の配線基板の外部に僅かに突出するに過ぎないものとされるが、斯かるもとにおいては、第１の配線基板と第２の配線基板との間に配される第１のコネクタ及び第２のコネクタを含んだ装置全体の薄型化を図ることができることになる。
【図面の簡単な説明】
【００３４】
【図１】本願発明に係る配線基板連結装置の一例を構成するリセプタクルコネクタをそのハウジングが固定された第１の配線基板と共に示す斜視図である。
【図２】図１に示されるリセプタクルコネクタと第１の配線基板とを示す平面図である。
【図３】本願発明に係る配線基板連結装置の一例を構成するプラグコネクタの部分をプラグコネクタのハウジングが固定された第２の配線基板と共に示す斜視図である。
【図４】本願発明に係る配線基板連結装置の一例を構成するプラグコネクタを示す斜視図である。
【図５】図４に示されるプラグコネクタを示す平面図である。
【図６】図４に示されるプラグコネクタをそのハウジングが固定された第２の配線基板と共に示す底面図である。
【図７】図１に示される第１の配線基板を伴ったリセプタクルコネクタと図４に示されるプラグコネクタとが相互対向配置された状態を示す斜視図である。
【図８】相互対向配置された第１の配線基板を伴ったリセプタクルコネクタと第２の配線基板を伴ったプラグコネクタとの夫々を示す断面図である。
【図９】図１に示されるリセプタクルコネクタが備える第１の金属部材の部分と図４に示されるプラグコネクタが備える第２の金属部材及び可動操作部材の夫々の部分とを示す部分斜視図である。
【図１０】図１に示される第１の配線基板を伴ったリセプタクルコネクタと図４に示されるプラグコネクタとが相互係合し、プラグコネクタに備えられた可動操作部材が引揚げ位置をとる状態を示す斜視図である。
【図１１】第１の配線基板を伴ったリセプタクルコネクタと第２の配線基板を伴ったプラグコネクタとが相互係合し、プラグコネクタに備えられた可動操作部材が引揚げ位置をとる状態を示す断面図である。
【図１２】図１に示されるリセプタクルコネクタが備える第１の金属部材の部分と図４に示されるプラグコネクタが備える第２の金属部材及び可動操作部材の夫々の部分とを示す部分斜視図である。
【図１３】図１に示される第１の配線基板を伴ったリセプタクルコネクタと図４に示されるプラグコネクタとが相互係合し、プラグコネクタに備えられた可動操作部材が押込み位置をとる状態を示す斜視図である。
【図１４】第１の配線基板を伴ったリセプタクルコネクタと第２の配線基板を伴ったプラグコネクタとが相互係合し、プラグコネクタに備えられた可動操作部材が押込み位置をとる状態を示す断面図である。
【図１５】図１に示されるリセプタクルコネクタが備える第１の金属部材の部分と図４に示されるプラグコネクタが備える第２の金属部材及び可動操作部材の夫々の部分とを示す部分斜視図である。
【図１６】第１の配線基板を伴ったリセプタクルコネクタと第２の配線基板を伴ったプラグコネクタとが相互係合し、プラグコネクタに備えられた可動操作部材が押込み位置をとる状態を示す断面図である。
【発明を実施するための形態】
【００３５】
本願発明を実施するための形態は、以下に述べられる本願発明についての実施例をもって説明される。
【実施例】
【００３６】
図１（斜視図）及び図２（平面図）は、本願発明に係る配線基板連結装置の一例を構成する第１のコネクタを成すリセプタクルコネクタ１１及びリセプタクルコネクタ１１が取り付けられた第１の配線基板１２を示す。リセプタクルコネクタ１１は、合成樹脂等の絶縁材料によって形成されたハウジング１３（第１のハウジング）を備えており、ハウジング１３は第１の配線基板１２における図１において上方に向いた面（以下、上面という）に固定されている。
【００３７】
ハウジング１３には、各々が弾性を有した導電性板材により形成された屈曲帯状部材を成す複数のリセプタクル側コンタクト１４（第１のコンタクト）が、相互対向する２個の列を成して配列配置されている。複数のリセプタクル側コンタクト１４の夫々には、第１の配線基板１２の上面に設けられた配線端子部（図示が省略されている。）に接続される基板接続部１４ａと、後述される第２のコネクタを成すプラグコネクタに備えられるプラグ側コンタクトに当接する接触接続部１４ｂとが、夫々帯状部材の両端部分を成すものとして設けられている。
【００３８】
また、ハウジング１３には、一対の第１の金属部材１５が、各々の大部分がハウジング１３における複数のリセプタクル側コンタクト１４の配列方向（以下、第１のコンタクト配列方向という。）の両端部分１６の夫々に埋め込まれる状態をもって固定されている。一対の第１の金属部材１５の夫々には、各々が第１の配線基板１２の上面に連結される一対の基板連結部１７と一対の第１の係合係止部１８とが設けられている。一対の基板連結部１７は、第１の配線基板１２の上面に連結されることにより、ハウジング１３と共に第１の配線基板１２に固定され、それにより、各第１の金属部材１５は、ハウジング１３の第１の配線基板１２の上面への取付けに寄与するものとなっている。また、一対の第１の係合係止部１８は、各々がハウジング１３によって位置規制されたもとで相互対向する位置に配されており、夫々が、例えば、係合突起部を形成していて、後述される第２のコネクタを成すプラグコネクタに備えられる第２の係合係止部との相互係合係止状態をとる。
【００３９】
図３（斜視図）は、本願発明に係る配線基板連結装置の一例を、図１及び図２に示されるリセプタクルコネクタ１１と共に構成する、第２のコネクタを成すプラグコネクタ２１の部分及びプラグコネクタ２１が取り付けられた第２の配線基板２２を示す。図３においては、プラグコネクタ２１は、第２の配線基板２２の図３において下方に向いた面（以下、下面という。）に取り付けられている。そして、第２の配線基板２２には、一対の矩形の透孔２３が形成されており、プラグコネクタ２１の一部分が、第２の配線基板２２の図３において上方に向いた面（以下、上面という。）の外部から、一対の透孔２３の夫々を通じて、第２の配線基板２２の下面側へと伸びている。
【００４０】
図４（斜視図）及び図５（平面図）は、プラグコネクタ２１を、それが取り付けられた第２の配線基板２２を取り除いた状態をもって示し、また、図６（底面図）は、プラグコネクタ２１及びプラグコネクタ２１が取り付けられた第２の配線基板２２を示す。
【００４１】
図４〜図６に示されるように、プラグコネクタ２１は、合成樹脂等の絶縁材料によって形成されたハウジング２４（第２のハウジング）を備えており、ハウジング２４は第２の配線基板２２の下面に固定されている。ハウジング２４には、各々が弾性を有した導電性板材により形成された屈曲帯状部材を成す複数のプラグ側コンタクト２５（第２のコンタクト）が、相互対向する２個の列を成して配列配置されている。複数のプラグ側コンタクト２５の夫々には、第２の配線基板２２に設けられた配線端子部（図示が省略されている。）に接続される基板接続部２５ａと、第１のコネクタを成すリセプタクルコネクタ１１が備えるリセプタクル側コンタクト１４に設けられた接触接続部１４ｂが当接するものとされる接触接続部２５ｂとが、プラグ側コンタクト２５の両端部分を成すものとして設けられている。
【００４２】
ハウジング２４は、第２の配線基板２２の下面に対接する平板状部２６と平板状部２６から第２の配線基板２２の下面から離隔する方向に突出する周壁状部２７とを有している。そして、ハウジング２４には、その周壁状部２７の外周を覆うものとされて、複数のプラグ側コンタクト２５の配列方向（以下、第２のコンタクト配列方向という。）に直交する方向において相互対向する一対の第２の金属部材２９が取り付けられている。一対の第２の金属部材２９の夫々には、各々が第２の配線基板２２の下面に連結される一対の基板連結部３０と一対の弾性腕状部３１とが設けられている。一対の基板連結部３０は、第２の配線基板２２の下面に連結されることにより、ハウジング２４と共に第２の配線基板２２に固定され、それにより、各第２の金属部材２９は、ハウジング２４の第２の配線基板２２の下面への取付けに寄与するものとなっている。
【００４３】
一対の弾性腕状部３１の夫々には、リセプタクルコネクタ１１に備えられた第１の係合係止部１８との相互係合係止状態をとる第２の係合係止部３２（図８，９，１０等に示される。）と第１の係合部３３とが設けられている。第２の係合係止部３２は、例えば、係合凹部を形成するものとされている。また、第１の係合部３３は、例えば、係合突起部を形成していて、後述される可動操作部材に設けられた第２の係合部との相互係合状態をとる。そして、各々が第２の係合係止部３２と第１の係合部３３とが設けられたものとされた一対の弾性腕状部３１は、ハウジング２４における第２のコンタクト配列方向の両端部分３４の夫々に対応する位置に配されており、ハウジング２４に対して移動可能とされている。
【００４４】
さらに、プラグコネクタ２１は、ハウジング２４に対して移動可能に設けられた可動操作部材４０を備えている。可動操作部材４０は、その全体が、例えば、棒状金属材料に屈曲加工が施されて形成されて第２のコンタクト配列方向に伸びる棒状部材とされ、ハウジング２４が固定された第２の配線基板２２の上面外において第２のコンタクト配列方向に沿う中間部分４１と、中間部分４１の両端部に夫々設けられて、各々が第２の配線基板２２に設けられた透孔２３を通じてハウジング２４における第２のコンタクト配列方向の両端部分３４の夫々の内部へと伸びる一対の屈曲部分４２とを有している。一対の屈曲部分４２には、夫々の先端部分に、プラグコネクタ２１における第２の金属部材２９の弾性腕状部３１に設けられた第１の係合部３３を押圧して変位させる押圧部４３と第１の係合部３３との相互係合状態をとる第２の係合部４５とが形成されている。
【００４５】
そして、可動操作部材４０は、操作タグ４４が装着された中間部分４１が第２の配線基板２２の上面に近接もしくは当接せしめられるとともに、一対の屈曲部分４２の夫々の大部分が第２の配線基板２２に設けられた透孔２３を通じてハウジング２４の内部に押し込まれることになる押込み位置と、操作タグ４４が装着された中間部分４１が第２の配線基板２２の上面から離隔せしめられるとともに、一対の屈曲部分４２の夫々の大部分が第２の配線基板２２に設けられた透孔２３を通じてハウジング２４の外部に引き揚げられることになる引揚げ位置とを選択的にとる。可動操作部材４０が押込み位置をとるものとされるときには、例えば、引揚げ位置をとる可動操作部材４０に、その中間部分４１を第２の配線基板２２の上面に向かう方向に変位させる押込み操作が加えられ、また、可動操作部材４０が引揚げ位置をとるものとされるときには、例えば、押込み位置をとる可動操作部材４０に、その中間部分４１を第２の配線基板２２の上面から離隔する方向に変位させる引揚げ操作が加えられる。可動操作部材４０に加えられる、その中間部分４１を第２の配線基板２２の上面から離隔する方向に変位させる引揚げ操作は、例えば、中間部分４１に装着された操作タグ４４が引き揚げられることによって行われる。
【００４６】
なお、可動操作部材４０が引揚げ位置をとるときには、可動操作部材４０における屈曲部分４２の先端部分に形成された押圧部４３が、第２の配線基板２２の下面に当接し、それによって、屈曲部分４２の引揚げ変位を制限して、可動操作部材４０の引揚げ位置を規制する。
【００４７】
可動操作部材４０における屈曲部分４２の先端部分に形成された押圧部４３は、可動操作部材４０が引揚げ位置から押込み位置へと移行するとき、プラグコネクタ２１における一対の第２の金属部材２９の弾性腕状部３１に夫々形成されて相互対向する一対の第１の係合部３３の夫々を押圧して、それらを一旦相互に離隔する方向に変位させる。その後、押圧部４３が一対の第１の係合部３３の位置を通過すると、一対の第１の係合部３３の夫々が弾性腕状部３１の弾性によって元の位置に復帰し、それにより、一対の第１の係合部３３と可動操作部材４０における屈曲部分４２の先端部分に形成された第２の係合部４５とが相互係合状態をとり、押込み位置におかれた可動操作部材４０における屈曲部分４２の位置を規制する。
【００４８】
また、一対の第１の係合部３３との相互係合状態におかれた第２の係合部４５は、可動操作部材４０が押込み位置から引揚げ位置へと移行するとき、一対の第１の係合部３３を一旦相互に離隔する方向に変位させ、一対の第１の係合部３３との相互係合状態を解除する。その後、第２の係合部４５が先端部分に形成された可動操作部材４０における屈曲部分４２が一対の第１の係合部３３の位置を通過すると、一対の第１の係合部３３の夫々が弾性腕状部３１の弾性によって元の位置に復帰する。
【００４９】
このようなもとで、第２の配線基板２２におけるプラグコネクタ２１のハウジング２４が固定された下面が第１の配線基板１２におけるリセプタクルコネクタ１１のハウジング１３が固定された上面に対向するものとされて、第２の配線基板２２が第１の配線基板１２に対面近接して重ね合わせられるとき、本願発明に係る配線基板連結装置の一例を構成する第１のコネクタと第２のコネクタとを夫々成すリセプタクルコネクタ１１とプラグコネクタ２１とが相互係合状態をとる。斯かる際には、先ず、図７（第２の配線基板２２の図示が省略されている。）に示されるように、第１の配線基板１２を伴ったリセプタクルコネクタ１1 と第２の配線基板２２を伴ったプラグコネクタ２１とが相互対向配置される。
【００５０】
このとき、プラグコネクタ２１のハウジング２４が、リセプタクルコネクタ１１のハウジング１３に対向せしめられ、プラグコネクタ２１のハウジング２４に配列配置された複数のプラグ側コンタクト２５が、リセプタクルコネクタ１１のハウジング１３に配列配置された複数のリセプタクル側コンタクト１４に夫々対応する位置をとるものとされる。そして、図８に示されるように、プラグコネクタ２１のハウジング２４に取り付けられた第２の金属部材２９に形成された第２の係合係止部３２が、リセプタクルコネクタ１１のハウジング１３に固定された第１の金属部材１５に形成された第１の係合係止部１８に対応する位置をとるものとされる。さらに、図７及び図８に示されるように、プラグコネクタ２１が備える可動操作部材４０が引揚げ位置をとるものとされ、図８及び第１の金属部材１５と第２の金属部材２９と可動操作部材４０との位置関係を示す図９に示されるように、可動操作部材４０における屈曲部分４２の先端部分に形成された押圧部４３が、ハウジング２４に取り付けられた第２の金属部材２９に形成された一対の第１の係合部３３の夫々に近接した位置に配される。
【００５１】
次に、第２の配線基板２２が、プラグコネクタ２１のハウジング２４が固定された下面を、第１の配線基板１２のリセプタクルコネクタ１１のハウジング１３が固定された上面に近接させる位置をとって、第２の配線基板２２が第１の配線基板１２に対面近接して重ね合わせられると、図１０（第２の配線基板２２の図示が省略されている。）及び図１１に示されるように、プラグコネクタ２１のハウジング２４がリセプタクルコネクタ１１のハウジング１３との係合状態をとり、第２の配線基板２２を伴ったプラグコネクタ２１と第１の配線基板１２を伴ったリセプタクルコネクタ１１とが相互係合状態におかれる。
【００５２】
斯かる際には、プラグコネクタ２１のハウジング２４に配列配置された複数のプラグ側コンタクト２５における接触接続部２５ｂがリセプタクルコネクタ１１のハウジング１３に配列配置された複数のリセプタクル側コンタクト１４における接触接続部１４ｂに夫々接触接続される。それにより、複数のプラグ側コンタクト２５における基板接続部２５ａが夫々接続された第２の配線基板２２に設けられた複数の配線端子部が、複数のプラグ側コンタクト２５及び複数のリセプタクル側コンタクト１４を介して、複数のリセプタクル側コンタクト１４における基板接続部１４ａが夫々接続された第１の配線基板１２に設けられた複数の配線端子部に夫々連結され、第１の配線基板１２と第２の配線基板２２とが電気的に相互連結される。
【００５３】
また、このとき、図１１及び第１の金属部材１５と第２の金属部材２９と可動操作部材４０との位置関係を示す図１２に示されるように、リセプタクルコネクタ１１のハウジング１３に固定された第１の金属部材１５に設けられた第１の係合係止部１８と、プラグコネクタ２１のハウジング２４に取り付けられた第２の金属部材２９に設けられた弾性腕状部３１に形成された第２の係合係止部３２とが、相互係合係止状態をとり、プラグコネクタ２１のハウジング２４をリセプタクルコネクタ１１のハウジング１３に対して係止する。それにより、プラグコネクタ２１のハウジング２４のリセプタクルコネクタ１１のハウジング１３からの不所望な離脱が阻止される。
【００５４】
第１の係合係止部１８と第２の係合係止部３２とが相互係合係止状態をとるにあたっては、プラグコネクタ２１とリセプタクルコネクタ１１とが相互係合するに伴って、例えば、係合突起部を形成する第１の係合係止部１８が、例えば、係合凹部を形成する第２の係合係止部３２に近接していき、その後、第１の係合係止部１８が第２の係合係止部３２が形成された弾性腕状部３１の部分を乗り越えて、第２の係合係止部３２に係合する動作が行われるが、斯かる動作は、第２の係合係止部３２が形成された弾性腕状部３１がハウジング２４に対して移動可能とされていて、第２の係合係止部３２が第１の係合係止部１８に対して移動可能とされていることにより可能とされている。また、このとき、プラグコネクタ２１が備える可動操作部材４０は、引揚げ位置を維持しており、図１１に示されるように、可動操作部材４０における屈曲部分４２の先端部分に形成された押圧部４３は、ハウジング２４に取り付けられた一対の第２の金属部材２９に夫々設けられた一対の弾性腕状部３１に形成されて相互対向する一対の第１の係合部３３に近接した位置に配されている。
【００５５】
その後、引揚げ位置をとる可動操作部材４０に、例えば、その中間部分４１を第２の配線基板２２の上面に向かう方向に変位させる押込み操作が加えられて、図１３（第２の配線基板２２の図示が省略されている。）及び図１４に示されるように、可動操作部材４０が押込み位置をとるものとされると、操作タグ４４が装着された可動操作部材４０の中間部分４１が、第２の配線基板２２の上面に近接もしくは当接するものとされ、また、可動操作部材４０における屈曲部分４２が、第２の配線基板２２に設けられた透孔２３を通じてハウジング２４の内部に押し込まれる。それに伴い、可動操作部材４０における屈曲部分４２の先端部分に形成された押圧部４３が、一対の第２の金属部材２９の弾性腕状部３１に夫々形成されて相互対向する一対の第１の係合部３３の夫々を第２の配線基板２２側から押圧して、それらを一旦相互に離隔する方向に変位させる。そして、押圧部４３が一対の第１の係合部３３の位置を通過すると、一対の第１の係合部３３の夫々が弾性腕状部３１の弾性によって元の位置に復帰し、それにより、図１４及び第１の金属部材１５と第２の金属部材２９と可動操作部材４０との位置関係を示す図１５に示されるように、一対の第１の係合部３３と可動操作部材４０における屈曲部分４２の先端部分に形成された第２の係合部４５とが相互係合状態をとり、押込み位置におかれた可動操作部材４０における屈曲部分４２の位置を規制する。
【００５６】
このようにして、一対の第１の係合部３３と第２の係合部４５とが相互係合状態をとることによって、押込み位置におかれた可動操作部材４０における屈曲部分４２の位置が規制されたもとにあっては、各々が第２の係合係止部３２及び第１の係合部３３が形成されたものとされる一対の弾性腕状部３１が、可動操作部材４０における屈曲部分４２によってハウジング２４に対する移動が阻止される状態におかれる。それにより、各弾性腕状部３１に形成された第２の係合係止部３２が、それに係合したリセプタクルコネクタ１１が備える第１の金属部材１５に設けられた第１の係合係止部１８からの離脱が禁じられるものとされ、第１の係合係止部１８と第２の係合係止部３２とが相互係合係止状態をとって、プラグコネクタ２１のハウジング２４をリセプタクルコネクタ１１のハウジング１３に対して係止する状態が、安定に維持される。
【００５７】
その結果、図１６に示されるように、プラグコネクタ２１のハウジング２４に配列配置された複数のプラグ側コンタクト２５における接触接続部２５ｂがリセプタクルコネクタ１１のハウジング１３に配列配置された複数のリセプタクル側コンタクト１４における接触接続部１４ｂに夫々接触接続された状態が継続される、プラグコネクタ２１が備えるハウジング２４のリセプタクルコネクタ１１が備えるハウジング１３からの不所望な離脱が阻止される状態が、極めて安定かつ堅固に維持されることになる。
【００５８】
なお、一対の第１の係合部３３との相互係合状態におかれた第２の係合部４５は、可動操作部材４０が押込み位置から引揚げ位置へと移行するときには、一対の第１の係合部３３を一旦相互に離隔する方向に変位させ、一対の第１の係合部３３との相互係合状態を解除する。その後、第２の係合部４５が先端部分に形成された可動操作部材４０における屈曲部分４２が一対の第１の係合部３３の位置を通過すると、一対の第１の係合部３３の夫々が弾性腕状部３１の弾性によって元の位置に復帰する。
【００５９】
このようにして、一対の第１の係合部３３と第２の係合部４５との相互係合状態が解除されると、各弾性腕状部３１がハウジング２４に対する移動が可能な状態におかれて、各弾性腕状部３１に形成された第２の係合係止部３２が、それに係合したリセプタクルコネクタ１１が備える第１の金属部材１５に設けられた第１の係合係止部１８から容易に離脱し得るものとされ、第１の係合係止部１８と第２の係合係止部３２との相互係合係止状態の解除が可能とされる。それにより、プラグコネクタ２１のハウジング２４をリセプタクルコネクタ１１のハウジング１３から適正に離脱させることができる。
【００６０】
上述のようなリセプタクルコネクタ１１とプラグコネクタ２１とを含んで構成される本願発明に係る配線基板連結装置の一例によれば、リセプタクルコネクタ１１のハウジング１３に固定された第１の金属部材１５に設けられた第１の係合係止部１８と、プラグコネクタ２１のハウジング２４に取り付けられた第２の金属部材２９に設けられた弾性腕状部３１に形成された第２の係合係止部３２とが、相互係合係止状態をとってプラグコネクタ２１のハウジング２４のリセプタクルコネクタ１１のハウジング１３からの不所望な離脱を阻止する係止手段を構成するもとにおいて、第２の金属部材２９に設けられた弾性腕状部３１に形成された第１の係合部３３と可動操作部材４０に設けられた第２の係合部４５との相互係合により位置規制された押し込み位置をとる可動操作部材４０が、第１の係合係止部１８と第２の係合係止部３２との相互係合状態の解除を阻止するので、プラグコネクタ２１のハウジング２４がリセプタクルコネクタ１１のハウジング１３との係合状態をとり、それに伴って、ハウジング２４に配列配置された複数のプラグ側コンタクト２５がハウジング１３に配列配置された複数のリセプタクル側コンタクト１４との接触接続状態をとる、リセプタクルコネクタ１１とプラグコネクタ２１との相互係合状態を、極めて安定かつ堅固に維持することができる。
【００６１】
また、リセプタクルコネクタ１１とプラグコネクタ２１とが相互係合した状態におかれ、プラグコネクタ２１のハウジング２４がリセプタクルコネクタ１１のハウジング１３との係合状態をとったもとで、可動操作部材４０に押込み位置をとらせる操作は、例えば、その中間部分４１を第２の配線基板２２における上面の外部に位置させるとともに、その屈曲部分４２を第２の配線基板２２に設けられた透孔２３を通じて第２のハウジング２４内に位置させて、引揚げ位置をとる可動操作部材４０を、第２の配線基板２２からハウジング１３が固定された第１の配線基板１２に向かう方向をもってハウジング２４内側に押し込むだけの、極めて簡単で容易なものとされる。従って、特別な工具等の使用を必要としない極めて簡単で容易な操作により、リセプタクルコネクタ１１のハウジング１３に固定された第１の金属部材１５に設けられた第１の係合係止部１８と、プラグコネクタ２１のハウジング２４に取り付けられた第２の金属部材２９に設けられた弾性腕状部３１に形成された第２の係合係止部３２とを、相互係合状態の解除が禁止される状態におくことができることになる。
【００６２】
さらに、本願発明に係る配線基板連結装置にあっては、リセプタクルコネクタ１１のハウジング１３に固定された第１の金属部材１５に設けられた第１の係合係止部１８とプラグコネクタ２１のハウジング２４に取り付けられた第２の金属部材２９に設けられた弾性腕状部３１に形成された第２の係合係止部３２とが相互係合状態をとるもとで、押込み位置をとっていた可動操作部材４０が引揚げ位置をとるものとされると、第２の金属部材２９に設けられた弾性腕状部３１に形成された第１の係合部３３と可動操作部材４０に設けられた第２の係合部４５との相互係合状態が解除されるとともに、第１の係合係止部１８と第２の係合係止部３２とが相互係合係止を解除し得る状態におかれ、それにより、リセプタクルコネクタ１１とプラグコネクタ２１とを相互係合状態から解放することができる状態が得られる。
【００６３】
斯かるもとで、リセプタクルコネクタ１１とプラグコネクタ２１とが相互係合した状態におかれ、プラグコネクタ２１のハウジング２４がリセプタクルコネクタ１１のハウジング１３との係合状態をとったもとで、押込み位置をとっていた可動操作部材４０に引揚げ位置をとらせる操作は、例えば、その中間部分４１を第２の配線基板２２の上面に近接もしくは当接させるとともに、その屈曲部分４２を第２の配線基板２２に設けられた透孔２３を通じて第２のハウジング２４内に位置させて、押込み位置をとる可動操作部材４０を、第１の配線基板１２から第２の配線基板２２に向かう方向をもって第２の配線基板２２の外部へと引き揚げるだけの、極めて簡単で容易なものとされる。従って、特別な工具等の使用を必要としない極めて簡単で容易な操作により、リセプタクルコネクタ１１のハウジング１３に固定された第１の金属部材１５に設けられた第１の係合係止部１８とプラグコネクタ２１のハウジング２４に取り付けられた第２の金属部材２９に設けられた弾性腕状部３１に形成された第２の係合係止部３２との相互係合状態を解除して、リセプタクルコネクタ１１とプラグコネクタ２１とを相互係合状態から解放することができる状態におくことができることになる。
【００６４】
また、本願発明に係る配線基板連結装置にあっては、リセプタクルコネクタ１１とプラグコネクタ２１とが相互係合した状態におかれてプラグコネクタ２１のハウジング２４がリセプタクルコネクタ１１のハウジング１３との係合状態をとったとき、可動操作部材４０が、その中間部分４１を第２の配線基板２２の上面に近接もしくは当接させるとともに、その屈曲部分４２を第２の配線基板２２に設けられた透孔２３を通じてプラグコネクタ２１のハウジング２４内に位置させる押込み位置をとり、第２の配線基板２２の外部に僅かに突出するに過ぎないものとされるが、斯かるもとにおいては、第１の配線基板１２と第２の配線基板２４との間に配されるリセプタクルコネクタ１１及びプラグコネクタ２１を含んだ装置全体の薄型化を図ることができることになる。
【産業上の利用可能性】
【００６５】
以上のような本願発明に係る配線基板連結装置は、第１の配線基板と第２の配線基板とを対面近接重ね合わせ連結によって電気的に相互連結するための機構を成すものであって、第１の配線基板を伴った第１のコネクタと第２の配線基板を伴った第２のコネクタとを含んで構成され、第２のコネクタにおける第２のハウジングの第１のコネクタにおける第１のハウジングからの不所望な離脱を阻止する係止手段を備え、斯かる手段により第１のコネクタと第２のコネクタとの相互係合状態を極めて安定かつ堅固に維持することができ、また、特別な工具等の使用を必要としない極めて簡単で容易な操作により、第２のコネクタにおける第２のハウジングを第１のコネクタにおける第１のハウジングから離脱させることができるものとして、様々な電子機器等に広く適用され得るものである。
【符号の説明】
【００６６】
１1 ・・・リセプタクルコネクタ（第１のコネクタ），  １２・・・第１の配線基板，    １３，２４・・・ハウジング（第１のハウジング，第２のハウジング），  １４・・・リセプタクル側コンタクト（第１のコンタクト），  １４ａ，２５ａ・・・基板接続部，  １４ｂ，２５ｂ・・・接触接続部，  １５・・・第１の金属部材，  １６・・・（ハウジング１３の）両端部分，  １７，３０・・・基板連結部，  １８・・・第１の係合係止部，  ２１・・・プラグコネクタ（第２のコネクタ），  ２２・・・第２の配線基板，  ２３・・・透孔，  ２５・・・プラグ側コンタクト（第２のコンタクト），  ２６・・・平板状部，  ２７・・・周壁状部，  ２９・・・第２の金属部材，  ３１・・・弾性腕状部，  ３２・・・第２の係合係止部，  ３３・・・第１の係合部，  ３４・・・（ハウジング２４の）両端部分，  ４０・・・可動操作部材，  ４１・・・中間部分，  ４２・・・屈曲部分，  ４３・・・押圧部，  ４４・・・操作タグ，  ４５・・・第２の係合部
【図１】
0005920565.tif 000002
【図２】
0005920565.tif 000003
【図３】
0005920565.tif 000004
【図４】
0005920565.tif 000005
【図５】
0005920565.tif 000006
【図６】
0005920565.tif 000007
【図７】
0005920565.tif 000008
【図８】
0005920565.tif 000009
【図９】
0005920565.tif 000010
【図１０】
0005920565.tif 000011
【図１１】
0005920565.tif 000012
【図１２】
0005920565.tif 000013
【図１３】
0005920565.tif 000014
【図１４】
0005920565.tif 000015
【図１５】
0005920565.tif 000016
【図１６】
0005920565.tif 000017